(57)【特許請求の範囲】
【請求項１】
客間、居間、通路部及び洗面所が同一階に配置されている建物であって、
前記洗面所と前記建物内の他の空間とを仕切る間仕切壁には、前記客間から前記居間及び前記通路部を介さずに前記洗面所に出入り可能とする第１出入り口と、前記居間から前記客間及び前記通路部を介さずに前記洗面所に出入り可能とする第２出入り口と、前記客間及び前記居間から前記通路部を介して前記洗面所に出入り可能とする第３出入り口と、が設けられていることを特徴とする建物。
【請求項２】
前記通路部は、玄関土間と連通する玄関ホールであり、
前記第１出入り口は、前記玄関土間と前記洗面所とを仕切る第１間仕切壁に設けられ、
前記第２出入り口は、前記居間と前記洗面所とを仕切る第２間仕切壁に設けられ、
前記第３出入り口は、前記玄関ホールと前記洗面所とを仕切る第３間仕切壁に設けられていることを特徴とする、請求項１に記載の建物。
【請求項３】
前記第１間仕切壁は、前記第２間仕切壁と対向して配置され、
前記第１出入り口と前記第２出入り口とは、平面視にて、前記第１間仕切壁と前記第２間仕切壁との対向方向と直交する方向において重ならない位置に設けられていることを特徴とする、請求項２に記載の建物。
【請求項４】
前記第３間仕切壁は、前記第１間仕切壁及び前記第２間仕切壁と直交していることを特徴とする、請求項３に記載の建物。
【請求項５】
前記客間と前記玄関土間とを仕切る間仕切壁には土間出入り口が設けられており、
前記客間と前記居間とを仕切る間仕切壁には居間出入り口が設けられており、
前記居間と前記玄関ホールとを仕切る間仕切壁には玄関ホール出入り口が設けられていることを特徴とする、請求項２乃至４のいずれか１つに記載の建物。
【請求項６】
前記居間は、居住空間部と、前記居住空間部から延伸された居間内廊下部と、を備え、
前記第２出入り口は、前記居住空間部から前記洗面所へ出入り可能とし、
前記玄関ホール出入り口及び前記居間出入り口は、前記居間内廊下部のうち前記居住空間部から離れた一端部近傍に設けられたことを特徴とする、請求項５に記載の建物。
【請求項７】
前記居間出入り口は、前記玄関ホール出入り口を挟んで、前記第３出入り口と対向して配置されていることを特徴とする、請求項６に記載の建物。
【請求項８】
前記玄関土間には収納室が設けられており、
前記第１出入り口は、前記収納室から前記洗面所に出入り可能とすることを特徴とする、請求項２乃至７のいずれか１つに記載の建物。
【請求項９】
前記玄関ホールは、前記玄関土間を挟んで玄関口と対向する位置に設けられ、
前記玄関土間は、前記玄関ホールと前記玄関口との対向方向と直交する直交方向に延伸しており、前記土間出入り口は前記直交方向の一端側に設けられ、前記収納室は前記直交方向の他端側に設けられていることを特徴とする、請求項８に記載の建物。
【請求項１０】
前記収納室には、空気清浄装置が設けられていることを特徴とする、請求項９に記載の建物。
【請求項１１】
昇降口が前記居間に設けられている階段を備え、
前記居間、前記洗面所、前記玄関ホール及び前記玄関土間は、前記階段の周囲を、前記客間を通過せずに周回することによりアクセス可能であることを特徴とする、請求項２乃至１０のいずれか１つに記載の建物。
【発明の詳細な説明】
【技術分野】
【０００１】
本発明は、建物に関し、特に、客間、居間、通路部及び洗面所が同一階に配置されている建物に関する。
【背景技術】
【０００２】
従来から、客間として利用可能な和室を備える建物としての住宅が知られている。特許文献１、２には、玄関ホールや廊下を経由せずに、玄関土間から直接客間としての和室に出入り可能な住宅の間取りが開示されている。
【先行技術文献】
【特許文献】
【０００３】
【特許文献１】特開２０００−２３０３３１号公報
【特許文献２】特開２００２−１６７９８０号公報
【発明の概要】
【発明が解決しようとする課題】
【０００４】
ところで、特許文献１、２に開示されている住宅では、玄関土間から直接和室に出入り可能であるため、居住者は、居間としてのリビングルームを経由せずに来訪者を客間としての和室へと直接案内することができるため、居住者にとって来訪者の接客がし易いという利点がある。
【０００５】
しかしながら、特許文献１、２に開示されている住宅では、客間としての和室に通された来訪者が居住者と共通の洗面所を使用する際、居間にいる居住者も使用する玄関ホールを経由、又は居間自体を経由せざるを得ず、客間と洗面所との間の動線と、居間と洗面所との間の動線とが交錯するため、来訪者のプライバシー確保に関して改善の余地があった。
【０００６】
これに対して、客間と洗面所との間の動線と、居間と洗面所との間の動線とが交錯しないように、別々のルートを確保する間取りも考えられるが、来訪者の居場所が客間以外になる場合など、確保したルートを有効に活用できないおそれがある。
【０００７】
また、来訪者用の洗面所と居住者用の洗面所とを別々に設ける間取りも考えられるが、使用頻度の少なさや居住空間の間取りが制限され得ること等を考慮すれば、来訪者用の洗面所を別途設けることは望ましくない場合もある。
【０００８】
そこで本発明の目的は、来訪者と居住者とが共通で使用する洗面所を備え、居住者及び来訪者それぞれが利用する洗面所までのルートを、居住者や来訪者の居場所に応じて、動線が交錯しないように臨機応変に変更することが可能な建物を提供することである。
【課題を解決するための手段】
【０００９】
本発明の第１の態様としての建物は、客間、居間、通路部及び洗面所が同一階に配置されている建物であって、前記洗面所と前記建物内の他の空間とを仕切る間仕切壁には、前記客間から前記居間及び前記通路部を介さずに前記洗面所に出入り可能とする第１出入り口と、前記居間から前記客間及び前記通路部を介さずに前記洗面所に出入り可能とする第２出入り口と、前記客間及び前記居間から前記通路部を介して前記洗面所に出入り可能とする第３出入り口と、が設けられていることを特徴とするものである。
【００１０】
本発明の１つの実施形態として、前記通路部は、玄関土間と連通する玄関ホールであり、前記第１出入り口は、前記玄関土間と前記洗面所とを仕切る第１間仕切壁に設けられ、前記第２出入り口は、前記居間と前記洗面所とを仕切る第２間仕切壁に設けられ、前記第３出入り口は、前記玄関ホールと前記洗面所とを仕切る第３間仕切壁に設けられていることが好ましい。
【００１１】
本発明の１つの実施形態として、前記第１間仕切壁は、前記第２間仕切壁と対向して配置され、前記第１出入り口と前記第２出入り口とは、平面視にて、前記第１間仕切壁と前記第２間仕切壁との対向方向と直交する方向において重ならない位置に設けられていることが好ましい。
【００１２】
本発明の１つの実施形態として、前記第３間仕切壁は、前記第１間仕切壁及び前記第２間仕切壁と直交していることが好ましい。
【００１３】
本発明の１つの実施形態として、前記客間と前記玄関土間とを仕切る間仕切壁には土間出入り口が設けられており、前記客間と前記居間とを仕切る間仕切壁には居間出入り口が設けられており、前記居間と前記玄関ホールとを仕切る間仕切壁には玄関ホール出入り口が設けられていることが好ましい。
【００１４】
本発明の１つの実施形態として、前記居間は、居住空間部と、前記居住空間部から延伸された居間内廊下部と、を備え、前記第２出入り口は、前記居住空間部から前記洗面所へ出入り可能とし、前記玄関ホール出入り口及び前記居間出入り口は、前記居間内廊下部のうち前記居住空間部から離れた一端部近傍に設けられたことが好ましい。
【００１５】
本発明の１つの実施形態として、前記居間出入り口は、前記玄関ホール出入り口を挟んで、前記第３出入り口と対向して配置されていることが好ましい。
【００１６】
本発明の１つの実施形態として、前記玄関土間には収納室が設けられており、前記第１出入り口は、前記収納室から前記洗面所に出入り可能とすることが好ましい。
【００１７】
本発明の１つの実施形態として、前記玄関ホールは、前記玄関土間を挟んで玄関口と対向する位置に設けられ、前記玄関土間は、前記玄関ホールと前記玄関口との対向方向と直交する直交方向に延伸しており、前記土間出入り口は前記直交方向の一端側に設けられ、前記収納室は前記直交方向の他端側に設けられているが好ましい。
【００１８】
本発明の１つの実施形態として、前記収納室には、空気清浄装置が設けられていることが好ましい。
【００１９】
本発明の１つの実施形態として、昇降口が前記居間に設けられている階段を備え、前記居間、前記洗面所、前記玄関ホール及び前記玄関土間は、前記階段の周囲を、前記客間を通過せずに周回することによりアクセス可能であることが好ましい。
【発明の効果】
【００２０】
本発明によれば、来訪者と居住者とが共通で使用する洗面所を備え、居住者及び来訪者それぞれが利用する洗面所までのルートを、居住者や来訪者の居場所に応じて、動線が交錯しないように臨機応変に変更することが可能な建物を提供することができる。
【図面の簡単な説明】
【００２１】
【図１】本発明の一実施形態としての建物における１階平面図である。
【図２】図１に示す建物の２階平面図である。
【発明を実施するための形態】
【００２２】
以下、本発明に係る建物の実施形態について、図１〜図２を参照して説明する。なお、各図において共通の構成には、同一の符号を付している。
【００２３】
図１及び図２は、本実施形態としての建物１の各階平面図である。具体的に、図１は建物１の１階平面図であり、図２は建物１の２階平面図である。本実施形態の建物１は、鉄骨造の軸組みを有する２層構造の工業化住宅であり、地盤に固定された基礎と、柱や梁などの構造部材で構成された架構を有し、基礎に固定された上部構造体と、で構成されている。なお、上部構造体の架構を構成する構造部材は、予め規格化（標準化）されたものであり、工場にて製造され建築現場にて組み立てられる。
【００２４】
図１に示すように、建物１の１階には、居住者が主に利用する居間１１と、来訪者用の客間１２と、玄関１３としての玄関土間１３ａ及び玄関ホール１３ｂと、洗面所１４と、トイレ１５と、浴室１６と、テラス１７と、脱衣室１８と、が設けられている。なお、ここでいう「客間」とは、主に接客や来訪者の滞在に使用される部屋を意味し、「居間」とは、来訪者がいない状態のみならず、来訪者を接客している間や来訪者が滞在している間であっても主に居住者により利用される部屋を意味している。
【００２５】
また、図２に示すように、建物１の２階には、３つの寝室２１、２２及び２３と、トイレ２４と、が設けられている。なお、本実施形態の３つの寝室２１、２２及び２３のうち２つの寝室２１及び２２は、洋室により構成され、もう１つの寝室２３は和室により構成されている。
【００２６】
また、図１及び図２に示すように、建物１の１階と２階とは、１階の居間１１と２階の廊下２５とを繋ぐ階段３１により昇降可能である。
【００２７】
更に、本実施形態の建物１は、図１に示すように、南北に長く、東側の境界線が道路１００に接する長方形の敷地２００に建設されており、玄関扉４１ａが設けられた玄関口４１が１階の東側外壁に設けられている。なお、建物１の敷地２００の南東部分には駐車場１５０が設けられている。
【００２８】
次に、図１を参照して、建物１の１階の間取りについて詳細に説明する。図１に示すように、建物１は、居間１１、客間１２、通路部としての玄関ホール１３ｂ及び洗面所１４が同一階である１階に配置されている。
【００２９】
居間１１は、建物１の１階の西側部分に位置している。具体的に、本実施形態の居間１１は、平面視において、南北に長い略長方形状の居住空間部１１ａと、この居住空間部１１ａの長手方向（本実施形態では南北方向）と直交する方向（本実施形態では東方向）に延伸された細長い居間内廊下部１１ｂと、を備えている。なお、図１に示すように、居住空間部１１ａを他の空間と仕切る壁のうち南側に位置する南側外壁には、掃き出し窓等の開口部を通じて居住空間部１１ａから出入り可能なテラス１７が設けられている。
【００３０】
本実施形態の居住空間部１１ａは、対面型のキッチンセットを備えたリビング・ダイニング・キッチン（ＬＤＫ）により構成されている。また、本実施形態の居住空間部１１ａには、階段３１の昇降口が設けられている。更に、本実施形態の居住空間部１１ａと洗面所１４とを仕切る間仕切壁には、洗面所１４への直接の出入りを可能とする第２出入り口１４ｂが設けられている。この第２出入り口１４ｂの詳細は後述する。
【００３１】
図１に示すように、居間内廊下部１１ｂは、居住空間部１１ａと連通しており、客間１２との間に介在する南側の間仕切壁５１と、階段３１、階段下収納３２及び玄関ホール１３ｂとの間に介在する北側の間仕切壁５２と、後述する玄関土間１３ｂとの間に介在する東側の間仕切壁５３と、により建物１内の他の空間と仕切られている。なお、客間１２及び玄関ホール１３ｂへは、居間内廊下部１１ｂのうち居住空間部１１ａから離れた一端部（本実施形態では東側端部）近傍に設けられた出入り口５４及び５５から出入り可能である。
【００３２】
具体的に、南側の間仕切壁５１の東側端部には、建具を備え、客間１２への出入りを可能とする出入り口５４（以下、説明の便宜上「居間出入り口５４」と記載する。）が設けられている。居間出入り口５４が居間内廊下部１１ｂのうち居住空間部１１ａから離れた位置に設けられているため、居間出入り口５４の建具が開放状態であっても、居間１１の居住空間部１１ａから客間１２内を視通し難く、来訪者のプライバシーを確保することができる。
【００３３】
また、北側の間仕切壁５２の東側端部には、建具を備え、玄関ホール１３ｂへの出入りを可能とする出入り口５５（以下、説明の便宜上「玄関ホール出入り口５５」と記載する。）が設けられている。なお、居間出入り口５４と、玄関ホール出入り口５５とは、居間内廊下部１１ｂを挟んで南北方向に対向して配置されている。そのため、客間１２に滞在する来訪者が居間出入り口５４を通じて玄関ホール１３ｂに向かう際に、居間内廊下部１１ｂの東側一端部を通過するだけでよい。
【００３４】
本実施形態の客間１２は、建物１の１階の南東部分に位置しており、平面視において略正方形状に区画された和室（畳敷きの部屋）である。この客間１２と居間内廊下部１１ｂとを仕切る北側の間仕切壁５１には、上述したように、居間１１の居間内廊下部１１ｂに通じる居間出入り口５４が設けられている。また、客間１２と玄関土間１３ａとを仕切る東側の間仕切壁には、建具を備え、玄関土間１３ａに通じる出入り口５７（以下、説明の便宜上「土間出入り口５７」と記載する。）が設けられている。したがって、客間１２は、居間出入り口５４を通じて居間１１の居間内廊下部１１ｂと出入り可能であると共に、土間出入り口５７を通じて玄関土間１３ａと出入り可能である。なお、本実施形態の客間１２と居間１１との間は、居間出入り口５４からのみ直接出入り可能であり、客間１２と玄関土間１３ａとの間も、土間出入り口５７からのみ直接出入り可能である。また、客間１２の西側は、建具を備えない間仕切壁５６により居住空間部１１ａと仕切られ、客間１２の南側は、開口部が設けられた南側外壁により外部空間と仕切られている。
【００３５】
玄関１３は、玄関口４１を通じて建物１の外部から直接出入り可能であり、タイルや石などの外装床材で床が仕上げられ居住者及び来訪者が下足のまま踏み入る玄関土間１３ａと、床面領域が玄関框を境にして玄関土間１３ａの床面領域と区画されており、フローリング材等の内装床材で床が仕上げられ玄関土間１３ａで下足を脱いで踏み入る玄関ホール１３ｂと、を備えている。なお、玄関土間１３ａと玄関ホール１３ｂとは、建具無しで隣接した連通する空間である。また、本実施形態の玄関ホール１３ｂは、図１の平面視において、玄関土間１３ａを挟んで玄関扉４１ａを備える玄関口４１と、東西方向に対向して配置されている。
【００３６】
玄関土間１３ａの一部領域には、居住者及び来訪者が下足のまま踏み入ることが可能な収納室５８が設けられている。収納室５８には、例えば、コート掛けと下足入れが設けられている。より具体的に、本実施形態の玄関土間１３ａは、玄関ホール１３ｂと玄関口４１との対向方向（本実施形態では東西方向）と直交する直交方向（本実施形態では南北方向）に延伸しており、客間１２との間の土間出入り口５７は、玄関土間１３ａにおける南北方向の一端側（本実施形態では南側）、収納室５８は、玄関土間１３ａにおける南北方向の他端側（本実施形態では北側）に設けられている。なお、本実施形態の玄関土間１３ａは、図１の平面視において、玄関ホール１３ｂと玄関口４１との間に位置する中央部５９から、上述した土間出入り口５７が設けられた南側端部６０まで、南北方向に長い略長方形状に区画されている。その一方で、玄関土間１３ａの北側端部には、中央部５９から出入り可能な収納室５８が配置されており、この収納室５８は、東西方向に長い略長方形状に区画されている。
【００３７】
また、収納室５８には、空気清浄装置Ｘが設けられており、収納室５８内に収納した居住者や来客者の衣服等に付着した埃や花粉等を除去することができる。特に本実施形態の収納室５８は、玄関土間１３ａのうち北側端部に位置し、玄関土間１３ａにおいて客間１２から離れた位置に設けられているため、空気清浄装置Ｘの動作音が客間１２まで伝わり難い。なお、本実施形態のように、収納室５８と中央部５９との間に建具を備える収納室出入り口６６を設けることが好ましい。このようにすれば、空気清浄装置Ｘの動作音が客間１２まで伝わることをより抑制することができる。
【００３８】
ここで、玄関土間１３ａの収納室５８には、洗面所１４に直接出入り可能とする、建具を備える第１出入り口１４ａが設けられている。そのため、空気清浄装置Ｘの動作音が居間１１まで伝わることをも抑制することができる。更に、収納室５８の出入り口を建具により閉鎖すれば収納室５８を閉鎖空間とすることができるため、空気清浄装置Ｘによる収納室５８内の清浄効率を向上させることができる。なお、第１出入り口１４ａの詳細は後述する。
【００３９】
玄関ホール１３ｂは、居間１１の居間内廊下部１１ｂから直接出入り可能であると共に、客間１２から玄関土間１３ａ及び居間１１の居間内廊下部１１ｂのいずれか一方を介して出入り可能である。
【００４０】
また、玄関ホール１３ｂは、東側が建具無しに玄関土間１３ａと連通する一方で、西側、南側及び北側が間仕切壁により建物１内の他の空間と仕切られている。具体的に、玄関ホール１３ｂの西側は、開閉扉が設けられた間仕切壁６７により階段下収納３２と仕切られている。また、玄関ホール１３ｂの南側は、玄関ホール出入り口５５に設けられた建具を含む間仕切壁５２により居間内廊下部１１ｂと仕切られている。更に、玄関ホール１３ｂの北側は、後述する第３出入り口１４ｃに設けられた建具を含む第３間仕切壁６３により洗面所１４と仕切られている。換言すれば、玄関ホール出入り口５５及び第３出入り口１４ｃは、玄関框と直交する間仕切壁５２及び第３間仕切壁６３において、対向するように配置されている。なお、第３出入り口１４ｃの詳細は後述する。
【００４１】
洗面所１４は、建物１の北東部分に位置し、図１の平面視において、南北方向に長い略長方形状に区画されている。また洗面所１４には洗面化粧台６８が配置されている。更に洗面所１４と建物１内の他の空間とを仕切る間仕切壁には、第１出入り口１４ａ、第２出入り口１４ｂ、第３出入り口１４ｃ、トイレ１５に通じるトイレ用出入り口６９、及び浴室１６で入浴する際に脱衣をするための脱衣室１８に通じる脱衣室用出入り口７０が設けられている。トイレ１５、脱衣室１８及び浴室１６は、洗面所１４を通じてのみアクセスすることができる。洗面所１４及びトイレ１５は、来訪者が滞在する際に、居住者及び来訪者が共用することが想定されたものであり、来訪者が宿泊する際には、脱衣室１８及び浴室１６についても共用することが想定されている。
【００４２】
図１に示すように、第１出入り口１４ａにより、客間１２から洗面所１４には居間１１及び通路部としての玄関ホール１３ｂを介さずに出入り可能となっており、第２出入り口１４ｂにより、居間１１から洗面所１４には客間１２及び玄関ホール１３ｂを介さずに出入り可能となっており、第３出入り口１４ｃにより、客間１２及び居間１１から洗面所１４には玄関ホール１３ｂを介して出入り可能となっている。
【００４３】
第１出入り口１４ａは、例えば、客間１２に滞在する来訪者が、居住者が生活する居間１１を経由することなく、洗面所１４に行き来することを可能にする出入り口である。客間１２に滞在する来訪者は、土間出入り口５７から玄関土間１３ａに出て、収納室５８から第１出入り口１４ａを通じて洗面所１４に行くことができる。この他に、第１出入り口１４ａを、例えば、居住者が帰宅した際、収納室５８を通じて洗面所１４に直接入るために使用することもできる。これにより居住者は、手洗い等を行ってから第２出入り口１４ｂを通じて居間１１へとそのまま通り抜けることができる。
【００４４】
第２出入り口１４ｂは、例えば、居間１１にいる居住者が、客間１２に来訪者が滞在している状態であっても、客間１２や、客間１２付近の居間内廊下部１１ｂ及び玄関ホール１３ｂを経由することなく、洗面所１４に行き来することができる出入り口である。更に、第２出入り口１４ｂを通じて洗面所１４に入り、第１出入り口１４ａから収納室５８に出ることができるため、居間にいる居住者が、客間１２付近を経由することなく外出することも可能である。逆に、帰宅した居住者が、上述したとおり、客間１２付近を経由することなく、第１出入り口１４ａから洗面所１４に入り、第２出入り口１４ｂを通じて居間１１へと入ることもできる。
【００４５】
第３出入り口１４ｃは、例えば、客間１２に滞在する来訪者が、下足を履いて玄関土間１３ａに出ることなく、居間内廊下部１１ｂ及び玄関ホール１３ｂを通じて洗面所１４に行き来することを可能にする出入り口である。居住者の生活空間の一部である居間内廊下部１１ｂを経由するため、来訪者のプライバシー確保の面では、上述した第１出入り口１４ａを使用するルートよりも劣るが、土間出入り口５７で下足を履き、第１出入り口１４ａで下足を脱ぐ動作がないため、来訪者の手間を軽減することができる。特に、居住者が居間１１におらず、例えば深夜で居住者が２階にいる場合などは、来訪者が居間内廊下部１１ｂを経由して第３出入り口１４ｃを用いるルートを使用しても、居住者及び来訪者のプライバシーは確保できる。そのため、玄関土間１３ａから第１出入り口１４ａを使用するルートのみならず、居間内廊下部１１ｂ及び玄関ホール１３ｂを経由して第３出入り口１４ｃを使用する別ルートが設けられていることは、客間１２に滞在する来訪者にとって利便性が高い。
【００４６】
一方で、第３出入り口１４ｃは、居間１１にいる居住者が、居間内廊下部１１ｂ及び玄関ホール１３ｂを通じて洗面所１４に行き来することをも可能にする。居間１１にいる居住者は、通常、客間１２に来訪者が滞在している間は第２出入り口１４ｂを使用して洗面所１４に出入りするが、例えば来訪者が客間１２以外にいる場合などは、来訪者のプライバシーを考慮し、居間内廊下部１１ｂ及び玄関ホール１３ｂを経由した第３出入り口１４ｃを使用するルートを選択することができる。
【００４７】
このように、建物１の洗面所１４には、居間１１にいる居住者及び客間１２に滞在する来訪者が共用可能な第３出入り口１４ｃが設けられていることに加えて、居間１１にいる居住者が客間１２及び客間１２付近を経由することなく使用できる第２出入り口１４ｂ、及び客間１２に滞在する来訪者が居間１１を経由することなく使用できる第１出入り口１４ａが別途設けられているため、同じ洗面所１４を居住者及び来訪者が共用する場合であっても、居住者及び来訪者のプライバシーが確保され易い。
【００４８】
換言すれば、建物１は、客間１２を経由せずに居間１１と洗面所１４との間を行き来できるルートを複数有すると共に、居間１１を経由せずに客間１２と洗面所１４との間を行き来できるルートを複数有している。そのため、居住者や来訪者が実際にいる居場所に応じて、互いのプライバシーを確保可能なルートを臨機応変に選択することができる。
【００４９】
以下、洗面所１４の更なる詳細について説明する。第１出入り口１４ａは、洗面所１４と玄関土間１３ａの収納室５８とを仕切る第１間仕切壁６１に設けられている。また、第２出入り口１４ｂは、第１間仕切壁６１と対向し、洗面所１４と居間１１とを仕切る第２間仕切壁６２に設けられている。更に、第３出入り口１４ｃは、第１間仕切壁６１及び第２間仕切壁６２と直交し、洗面所１４と玄関ホール１３ｂ及び階段下収納３２とを仕切る第３間仕切壁６３に設けられている。なお、本実施形態の第１〜第３出入り口１４ａ〜１４ｃのそれぞれは、引き戸や片開き戸等の建具を備えている。また、上述したトレイ用出入り口６９は、洗面所１４の北側を仕切る第４間仕切壁６４に設けられており、上述した脱衣室用出入り口７０は、洗面所１４の東側を仕切る第１間仕切壁６１の北側端部に設けられている。
【００５０】
ここで、図１に示すように、第１出入り口１４ａと第２出入り口１４ｂとは、平面視において、第１間仕切壁６１と第２間仕切壁６２との対向方向（本実施形態では東西方向）と直交する方向（本実施形態では南北方向）において重ならない位置に形成されている。つまり、第１出入り口１４ａは、居間１１の居住空間部１１ａから第２出入り口１４ｂを正面に見た場合に、第２出入り口１４ｂを通じて視認できない位置に形成されている。逆に、第２出入り口１４ｂは、収納室５８から第１出入り口１４ａを正面に見た場合に、第１出入り口１４ａを通じて視認できない位置に形成されている。これにより、第２出入り口１４ｂに設けられた建具がたとえ開放状態であっても、第１出入り口１４ａを利用して洗面所１４に入った来訪者のプライバシーを確保することができる。逆に、第１出入り口１４ａに設けられた建具がたとえ開放状態であっても、第２出入り口１４ｂを利用して洗面所１４に入った居住者のプライバシーを確保することができる。
【００５１】
また、本実施形態の第２出入り口１４ｂには、第２出入り口１４ｂを通じて居間１１から洗面所１４内を見た場合に、洗面化粧台６８の前の位置（洗面化粧台６８を利用する人が立つ位置）やトイレ用出入り口６９の建具が視認できないように立設された目隠し壁６５が付設されている。そのため、来訪者の洗面所１４内のプライバシーをより一層確保することができる。
【００５２】
更に、居間内廊下部１１ｂと客間１２との間に設けられた居間出入り口５４は、居間内廊下部１１ｂと玄関ホール１３ｂとの間に設けられた玄関ホール出入り口５５を挟んで、第３出入り口１４ｃと対向して配置されている。換言すれば、居間出入り口５４、玄関ホール出入り口５５及び第３出入り口１４ｃは、南北方向に一列に並んで配置されているため、居間出入り口５４から第３出入り口１４ｃまでのルートを単純化することができ、客間１２に滞在する来訪者にとって洗面所１４に行き来し易い配置となっている。
【００５３】
なお、本実施形態の建物１の１階は、図１に示すように、階段３１の周囲を周回することができる間取りとなっている。つまり、居間１１、洗面所１４、玄関ホール１３ｂ及び玄関土間１３ａは、階段３１の周囲を、客間１２を通過せずに周回することにより、アクセス可能である。具体的に、本実施形態の建物１の１階は、図１の平面視において、居間１１の居住空間部１１ａから時計回りに、第２出入り口１４ｂ、洗面所１４、第３出入り口１４ｃ、玄関ホール１３ｂ（及び玄関土間１３ａ）、玄関ホール出入り口５５、居間内廊下部１１ａを順に通過して、再び居住空間部１１ａまで戻ることができる。
【００５４】
本発明に係る建物は、上述した実施形態の構成に限定されるものではなく、特許請求の範囲で記載された内容を逸脱しない範囲で、様々な構成により実現することが可能である。例えば、上述した建物１では、洗面所１４に設けられた第３出入り口１４ｃが玄関ホール１３ｃから出入り可能な構成であるが、居間や客間以外の通路部であればよく、玄関ホール１３ｃに限られるものではない。例えば、第３出入り口に出入り可能な通路部を、廊下により構成してもよい。また、上述した建物１の間取りと方角との関係は、敷地条件等によって適宜変更することができるものであり、建物１で説明した間取りや方角に限られるものではない。
【産業上の利用可能性】
【００５５】
本発明は、建物に関し、特に、客間、居間、通路部及び洗面所が同一階に配置されている建物に関する。
【符号の説明】
【００５６】
１：建物
１１：居間
１１ａ：居住空間部
１１ｂ：居間内廊下部
１２：客間
１３：玄関
１３ａ：玄関土間
１３ｂ：玄関ホール（通路部）
１４：洗面所
１４ａ：第１出入り口
１４ｂ：第２出入り口
１４ｃ：第３出入り口
１５：トイレ
１６：浴室
１７：テラス
１８：脱衣室
２１〜２３：寝室
２４：トイレ
２５：廊下
３１：階段
３２：階段下収納
４１：玄関口
４１ａ：玄関扉
５１：間仕切壁
５２：間仕切壁
５３：間仕切壁
５４：居間出入り口
５５：玄関ホール出入り口
５６：間仕切壁
５７：土間出入り口
５８：収納室
５９：中央部
６０：南側端部
６１：洗面所の第１間仕切壁
６２：洗面所の第２間仕切壁
６３：洗面所の第３間仕切壁
６４：洗面所の第４間仕切壁
６５：目隠し壁
６６：収納室出入り口
６７：間仕切壁
６８：洗面化粧台
６９：トイレ用出入り口
７０：脱衣室用出入り口
道路：１００
駐車場：１５０
敷地：２００
Ｘ：空気清浄装置
【図１】
0006466243.tif 000002
【図２】
0006466243.tif 000003